【手続補正書】
【提出日】平成18年10月30日(2006.10.30)
【手続補正１】
【補正対象書類名】明細書
【補正対象項目名】特許請求の範囲
【補正方法】変更
【補正の内容】
【特許請求の範囲】
【請求項１】  印刷テープの隅部を成形切断する成形切断機構を内蔵したテープ印刷装置において、
前記成形切断機構の下側に位置して、前記印刷テープの成形切断屑片を受けるトレイと、
前記テープ印刷装置の装置ケースの周側面に形成され、前記トレイを前記装置ケースに着脱自在に装着するためのトレイ引出し口と、を備えたことを特徴とするテープ印刷装置。
【請求項２】  前記トレイは、前記成形切断屑片を集積するトレイ本体と、前記トレイ本体の一端に設けられ、装着状態で前記トレイ引出し口を閉蓋する蓋体とから成り、一定の深さを有する容器状に形成されていることを特徴とする請求項１に記載のテープ印刷装置。
【請求項３】  前記蓋体は、前記トレイが装着された状態で前記装置ケースの周側面と略面一に配設されていることを特徴とする請求項２に記載のテープ印刷装置。
【請求項４】  前記蓋体の周囲に位置して前記装置ケースの周側面には、前記トレイを着脱するための指挿入部が窪入形成され、
前記指挿入部に面して前記蓋体には指掛け部が形成されていることを特徴とする請求項２または３に記載のテープ印刷装置。
【請求項５】  前記成形切断機構は、これに臨む印刷テープの幅方向に離間してカッタ刃部を有し、
前記トレイ本体は、着脱方向を前記カッタ刃部の並び方向に合致させて配設され、少なくとも着脱方向における奥側先端部が幅狭に形成されていることを特徴とする請求項１ないし４のいずれかに記載のテープ印刷装置。
【請求項６】  前記トレイ引出し口は、前記装置ケースの周側面の背面に形成されていることを特徴とする請求項１ないし５のいずれかに記載のテープ印刷装置。
【手続補正２】
【補正対象書類名】明細書
【補正対象項目名】０００５
【補正方法】変更
【補正の内容】
【０００５】
【課題を解決するための手段】
本発明のテープ印刷装置は、印刷テープの隅部を成形切断する成形切断機構を内蔵したテープ印刷装置において、成形切断機構の下側に位置して、印刷テープの成形切断屑片を受けるトレイと、テープ印刷装置の装置ケースの周側面に形成され、トレイを装置ケースに着脱自在に装着するためのトレイ引出し口と、を備えたことを特徴とする。
【手続補正３】
【補正対象書類名】明細書
【補正対象項目名】０００６
【補正方法】変更
【補正の内容】
【０００６】
この構成によれば、成形切断機構により印刷テープを成形切断すると、その成形切断屑片である切り屑は、成形切断機構の下側に位置するトレイに落下して受け取られる。トレイ内に集積した切り屑は、トレイをトレイ引出し口から装置ケース外部に離脱させることにより、廃棄可能となる。このようにトレイを装置ケースに対し着脱させる形式であるため、トレイを離脱させたときに切り屑がこぼれ出たり飛散することがなく、切り屑を容易に廃棄することができる。
また、トレイを装置ケースから取り外すことにより、切り屑（成形切断屑片）を直接ごみ箱などに廃棄することができ、切り屑の廃棄処理を簡単に行うことができる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この場合、トレイは、成形切断屑片を集積するトレイ本体と、トレイ本体の一端に設けられ、装着状態でトレイ引出し口を閉蓋する蓋体とから成り、一定の深さを有する容器状に形成されていることが、好ましい。
【手続補正７】
【補正対象書類名】明細書
【補正対象項目名】００１０
【補正方法】変更
【補正の内容】
【００１０】
この構成によれば、トレイは、容器状の構造となるため、これに集積した切り屑（成形切断屑片）がトレイ外にこぼれ落ちることがない。このため、切り屑がトレイからこぼれ、これが装置ケース内に飛散してしまうことがなく、且つトレイを引き出したときに切り屑が装置ケース内に残ることもない。さらに、切り屑トレイを装置ケースから取り出したときにも、切り屑が飛散するのを確実に防止することができる。
【手続補正８】
【補正対象書類名】明細書
【補正対象項目名】００１１
【補正方法】変更
【補正の内容】
【００１１】
この場合、蓋体は、トレイが装着された状態で装置ケースの周側面と略面一に配設されていることが、好ましい。
【手続補正９】
【補正対象書類名】明細書
【補正対象項目名】００１３
【補正方法】変更
【補正の内容】
【００１３】
これらの場合、蓋体の周囲に位置して装置ケースの周側面には、トレイを着脱するための指挿入部が窪入形成され、指挿入部に面して蓋体には指掛け部が形成されていることが、好ましい。
【手続補正１０】
【補正対象書類名】明細書
【補正対象項目名】００１４
【補正方法】変更
【補正の内容】
【００１４】
この構成によれば、指挿入部に指を差し入れ、蓋体の指掛け部を指掛りとしてこれを引き出すことにより、トレイを簡単に引き出すことができる。なお、蓋体の指掛け部は、その下端部に形成されることが、好ましい。
【手続補正１１】
【補正対象書類名】明細書
【補正対象項目名】００１５
【補正方法】変更
【補正の内容】
【００１５】
これらの場合、成形切断機構は、これに臨む印刷テープの幅方向に離間してカッタ刃部を有し、トレイ本体は、着脱方向をカッタ刃部の並び方向に合致させて配設され、少なくとも着脱方向における奥側先端部が幅狭に形成されていることが、好ましい。
【手続補正１２】
【補正対象書類名】明細書
【補正対象項目名】００１６
【補正方法】変更
【補正の内容】
【００１６】
この構成によれば、トレイ本体を着脱方向に長く形成することで、２個所に生ずる切り屑（成形切断屑片）を確実に受けることができ、且つトレイ本体を細長く形成することで、その占有面積を比較的小さくすることができる。
また、トレイをトレイ引出し口から装置ケース内に挿入装着するときに、トレイ引出し口にトレイの奥側となる先端部がつかえ難く、トレイの装着を円滑に行うことができる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
これらの場合、トレイ引出し口は、装置ケースの周側面の背面に形成されていることが、好ましい。
【手続補正１６】
【補正対象書類名】明細書
【補正対象項目名】００２０
【補正方法】変更
【補正の内容】
【００２０】
この構成によれば、装置ケースの周側面に露出するトレイ引出し口やトレイの蓋体を、目立たないように配置することができる。また、背面側を下にして本装置を立てておく場合、集積した切り屑（成形切断屑片）を蓋体が受けることになるため、装置ケース内での切り屑の飛散を防止することができる。
【手続補正１７】
【補正対象書類名】明細書
【補正対象項目名】００４１
【補正方法】変更
【補正の内容】
【００４１】
【発明の効果】
以上のように、本発明のテープ印刷装置によれば、成形切断機構により成形切断した成形切断屑片を受けるトレイが、トレイ引出し口から装置ケース外部に離脱し得るようになっているため、トレイを引き出したときに切り屑がこぼれ出たり飛散することがなく、切り屑を装置外部に簡単且つ確実に廃棄することができる。